(57)【要約】      （修正有）【課題】金属マグネシウム粉体を使用して、飲料水を短時間で効率良く水素豊富水に変えることができる水素豊富水生成ポットを提供する。【解決手段】飲料水を出し入れ可能なポット本体２に、内部に水素生成用の金属マグネシウム粒体２４が収納され且つ内部に水が侵入可能なカートリッジ１４が入っている。ポット本体２には、カートリッジ１４をポット本体２の内部で動かすための外部操作可能な撹拌操作具が取り付けられている。この撹拌操作具は、ポット本体２の栓体４に上下動自在に支承された心棒１２により構成され、心棒１２の上端は栓体４の上方に突出し、心棒１２の下端にはカートリッジ１４が連結されている。【選択図】図１
0003156455.tif 000002
【実用新案登録請求の範囲】
【請求項１】
飲料水を入れるためのポット本体（２）と、該ポット本体（２）に内置され、内部に水素生成用の金属マグネシウム粒体（２４）が収納され且つ内部に水が出入り可能なカートリッジ（１４）と、該カートリッジ（１４）を前記ポット本体（２）の内部で動かすための外部操作可能な撹拌操作具とを備えたことを特徴とする水素豊富水生成ポット。
【請求項２】
前記撹拌操作具は、ポット本体（２）の栓体（４）に上下動自在に支承された心棒（１２）により構成され、前記心棒（１２）の上端を前記栓体（４）の上方に突出させ、前記心棒（１２）の下端に前記ポット本体（２）内に配置したカートリッジ（１４）を連結したことを特徴とする請求項１に記載の水素豊富水生成ポット。
【請求項３】
前記心棒（１２）の上端に外部操作用のつまみ（２６）を設けたことを特徴とする請求項１に記載の水素豊富水生成ポット。
【考案の詳細な説明】
【技術分野】
【０００１】
本考案は、飲んだり皮膚に塗布することで体内の活性酸素の消去や皮膚の老化によるシミやシワの改善に有効な水素豊富水を生成するための水素豊富水生成ポットに関する。
【背景技術】
【０００２】
水素を多量に含む水が癌その他の各種の病気の原因とされる活性酸素の消去に有効であるという学説が近年医学界において発表され、注目されている。このような水素を豊富に含む飲料水を生成する装置としては電気分解を利用したものが従来知られている。また、従来、マグネシウムについては次のように考えられている。「金属マグネシウムは室温では水に侵されないが、微粉末を水中で加熱すると、水と反応して水酸化マグネシウムと水素ガスが生成する。・・・」（例えば非特許文献１参照）あるいは、「マグネシウムＭｇ・・・は高温の水蒸気と反応し、水素を発生する・・・」（例えば非特許文献２参照）
また、常温の飲料水と内部に水が滲入可能なセラミックからなるケースに収納したマグネシウム粒とを容器内で反応させて水素ガスを発生させ常温の飲料水を水素を豊富に含む水素豊富水に変えるようにしたことを特徴とする水素豊富水生成方法が知られている（例えば特許文献１参照）。
【先行技術文献】
【特許文献】
【０００３】
【特許文献１】特開２００５−１６１２０９号公報
【非特許文献】
【０００４】
【非特許文献１】桜井弘著「元素１１１の新知識」講談社出版８２頁
【非特許文献２】２００２年度教育セミナー  教育テレビ  ＮＨＫ高校講座  化学  日本放送協会・日本放送出版協会編  日本放送出版協会  ６４頁
【考案の概要】
【考案が解決しようとする課題】
【０００５】
電気分解を利用した従来の水素豊富水生成装置は、電源を必要とし、しかも構造が複雑となってしまうため、コスト高となり、消費者に簡単且つ安価に水素豊富水を供給することができなかった。
また電気分解を利用せず、浸水性ケースに入れたマグネシウム粒を常温の水と反応させる水素豊富水生成器が市販されているが、この水素豊富水生成器は短時間で効率よく飲料水に水素ガスを溶存させる点については何ら工夫が成されていない。
本考案は、短時間で効率良くしかも簡単に水素豊富水を作ることを目的とするものである。
【課題を解決するための手段】
【０００６】
上記目的を達成するため考案は、飲料水を入れるためのポット本体（２）と、該ポット本体（２）に内置され、内部に水素生成用の金属マグネシウム粒体（２４）が収納され且つ内部に水が出入り可能なカートリッジ（１４）と、該カートリッジ（１４）を前記ポット本体（２）の内部で動かすための外部操作可能な撹拌操作具とを備えたものである。
また本考案は、前記撹拌操作具は、ポット本体（２）の栓体（４）に上下動自在に支承された心棒（１２）により構成され、前記心棒（１２）の上端を前記栓体（４）の上方に突出させ、前記心棒（１２）の下端に前記ポット本体（２）内に配置したカートリッジ（１４）を連結したものである。
また本考案は、前記心棒（１２）の上端に外部操作用のつまみ（２６）を設けたものである。
【考案の効果】
【０００７】
本考案は通常の飲料水を水素分子を豊富に含有する水素豊富水に簡単且つ効率的に変えることができる。
【図面の簡単な説明】
【０００８】
【図１】本考案に係る水素豊富水生成ポットの断面説明図である。
【図２】実験データを示すグラフである。
【図３】従来品との比較データを示すグラフである。
【考案を実施するための形態】
【０００９】
以下に本考案の構成を添付した図面を参照して詳細に説明する。
ポット本体２は、透明な耐熱ガラス又は合成樹脂製の有底筒状部材により構成され、上端縁開口部に金属製若しくはその他任意の材料からなる栓体４が脱着自在に嵌合している。 ポット本体２には、把手６と注ぎ口８が形成されている。
【００１０】
栓体４は、盤状の蓋部４ａと管状部４ｂとより成り、管状部４ｂの下端縁部には、全周にわたって凸条が形成され、これに、栓体４をポット本体２の開口部に脱着自在に密嵌させるためのゴム製のリング材１０が取り付けられている。蓋部４ａの中央には、心棒１２をポット本体２の底面に対して垂直な方向にスライド自在に保持するための軸用スライド保持部４cが設けられている。
【００１１】
前記軸用スライド保持部４cには金属製の心棒１２がスライド自在に嵌挿配置され、これの下端に樹脂又は金属製のカートリッジ１４が連結している。カートリッジ１４は、真中に管状部１４ａが一体的に形成された外殻１４ｂと、中央部にナット１６が一体的に固設された底部外殻１４ｃとから成り、外殻１４ａと底部外殻１４ｃは互いに結合し、容部１８を形成している。
【００１２】
前記筒状部１４ａに前記心棒１２の下端が挿入され、該下端に形成されたねじ部が、前記筒状部１４ａの下端に配置されたナット１６に螺合している。前記カートリッジ１４の外殻１４ｂ，１４ｃには、容部１８内へ水が出入りできるように、複数の穴２０が形成されている。
【００１３】
前記容部１８内には、不織布などの通水性の袋体に入った、焼成処理された金属マグネシウム粒体２４が所定量収納されている。前記心棒１２の上端は、外部から操作できるように、前記栓体４の上方に配置され、これにつまみ２６が固設されている。心棒１２の栓体４から上方に突出する部分には、リング状のストッパー２８が嵌着している。心棒１２が図１に示す、ポット本体２内に最も押し下げられた状態において、カートリッジ１４は、ポット本体２の底面に接近した状態に位置する。
【００１４】
前記心棒１２は、カートリッジ１４をポット本体２内で上下に動かすための撹拌操作具を構成している。
上記した構成において、栓体４をポット本体２の開口部から外し、ポット本体２内に水道水などの飲料水を入れる。次に栓体４をポット本体２の開口部に圧入し、ポットに栓をする。
【００１５】
次に心棒１２を手操作で上下に動かし、カートリッジ１４をポット本体２内で複数回上下動させ、ポット本体２内の飲料水を金属マグネシウム粒体２４で撹拌する。ポット本体２内の飲料水は、カートリッジ１４内の金属マグネシウム粒体２４と反応し、次の化学式によって水素ガスを発生する。
Ｍｇ＋２Ｈ２Ｏ→  Ｍｇ（ＯＨ）２＋２Ｈ→  Ｍｇ（ＯＨ）２＋Ｈ２
【００１６】
その結果、ポット本体２内の飲料水は、水素原子（Ｈ）及び水素分子（Ｈ２）を豊富に含んだ水素豊富水となる。金属マグネシウム粒体２４の入ったカートリッジ１４を、ポット本体２内で上下に動かし、ポット本体２内の飲料水を金属マグネシウム粒体２４で撹拌するのは、飲料水と金属マグネシウム粒体２４との反応時間を早め、短時間でポット本体２内の飲料水を水素豊富水に変えるためである。
【００１７】
次に、撹拌と水素水生成との関係を確認するための実験について説明する。
『実験方法』
ポット本体内に１リットルの水道水を入れ、３ヶ月、金属マグネシウム粒体の入ったカートリッジを水道水に浸漬し、所定時間経過後に１往復約２秒の速度で水面と底面のあいだを所定回数往復させ、すぐに溶存水素濃度を計測した。溶存水素計測時間は１ｍｉｎとした。
【００１８】
『実験結果』
水温１７.0度Ｃの水道水１リットルをポット本体に入れ、カートリッジを浸漬し、栓をし、所定時間静置したのち、５，１０，２０，４０，６０回上下動させたときの溶存水素濃度を計測した。結果を表１及び図２に示す。又、本案実施品と従来品との溶存水素濃度の比較データを図３に示す。図３中、従来品を３ヶ月スティックとして表示し、本実施品データを１０回上下動後、２０回上下動後としてグラフで示している。
【００１９】
【表１】
0003156455.tif 000003
【００２０】
この結果、次のことが確認できた。金属マグネシウム粒体を内蔵したカートリッジを上下動させることにより、ポット本体内の飲料水の溶存水素濃度を急速にあげることができた。上下動回数と溶存水素濃度上昇量とはほぼ比例していた。
【００２１】
カートリッジを上下に動かすまでの浸漬時間が長いほどスタート時の溶存水素濃度は高かった。尚、カートリッジ１４の外殻を通水性を有する多孔質のプラスチックあるいはセラミックで構成することにより、袋体２２を用いることなく、直接、金属マグネシウム粒体２４をカートリッジ１４内に収納することができる。
【符号の説明】
【００２２】
２      ポット本体
４      栓体
４a    蓋部
４b    管状部
４c    軸用スライド保持部
６      把手
８      注ぎ口
１０    リング材
１２    心棒
１４    カートリッジ
１４a  管状部
１４b  外殻
１４c  底部外殻
１６    ナット
１８    容部
２０    穴
２２    袋体
２４    金属マグネシウム粒体
２６    つまみ
２８    ストッパー
【図１】
0003156455.tif 000004
【図２】
0003156455.tif 000005
【図３】
0003156455.tif 000006
【手続補正書】
【提出日】平成21年9月17日(2009.9.17)
【手続補正１】
【補正対象書類名】実用新案登録請求の範囲
【補正対象項目名】請求項３
【補正方法】変更
【補正の内容】
【請求項３】
前記心棒（１２）の上端に外部操作用のつまみ（２６）を設けたことを特徴とする請求項２に記載の水素豊富水生成ポット。